(57)【特許請求の範囲】
【請求項１】
コンニャクマンナンを素材とした擬似餌を凝固後に、弱アルカリ性に調整した食用色素水溶液中に浸漬し、浸透着色した後、ｐＨ３．８〜４．５の有機酸緩衝液に室温で３〜７時間浸漬し色素を固定化する生分解性擬似餌の着色固定化方法。
【請求項２】
前記した有機酸緩衝液が、有機酸とリン酸水素二ナトリウムで調整したｐH３．８〜４．５の緩衝液である、請求項１記載の生分解性擬似餌の着色固定化方法。
【請求項３】
前記した有機酸が、クエン酸、酒石酸、リンゴ酸、及びフマル酸から選ばれる１種または２種以上である、請求項１または請求項２記載の生分解性擬似餌の着色固定化方法。
【請求項４】
前記した食用色素が、食品添加物の着色料として使用できる法定食用タール色素および／または天然色素である請求項１〜請求項３いずれかの項に記載の生分解性擬似餌の着色固定化方法。
【請求項５】
前記した法定食用タール色素が、食用赤色３号、食用赤色１０４号、食用赤色１０５号であるキサンテン系色素、前記した天然色素がクチナシ黄色素（クロセチン）、クチナシ青色素、及びアナトー色素から選ばれる１種または２種以上である、請求項４記載の生分解性擬似餌の着色固定化方法。
【請求項６】
前記した有機酸緩衝液が、有機酸とリン酸水素二ナトリウムで調整したｐＨ４．０〜４．３の緩衝液である、請求項１記載の生分解性擬似餌の着色固定化方法。
【請求項７】
コンニャクマンナンを素材とした擬似餌を凝固後に、弱アルカリ性に調整した食用色素水溶液中に浸漬し、浸透着色した後、ｐＨ３．８〜４．５の有機酸緩衝液に室温で３〜７時間浸漬し色素を固定化する方法で着色固定化された、生分解性擬似餌。
【発明の詳細な説明】
【０００１】
【発明の属する技術分野】
本発明は、コンニャクマンナンを素材とした生分解性擬似餌を食用色素で着色した後、有機酸緩衝液に浸漬処理し、色素を着色固定化することによって保存安定性並びに水中での溶出安定化をはかることによって環境に優しい、しかも取扱い易く色素の長期保持性のある生分解性擬似餌の提供に関する。
【０００２】
【従来の技術】
今日のレジャーブームとあいまって趣味、娯楽の中でも釣りが幅広く大衆化してきた。中でもその使いやすさ、手軽さ等から幅広い年齢層でルアー（擬似餌）の使用が一段と増してきている。一方このブームの加熱で使い捨てのルアーが魚体内にそのまま残ったり、根がかり等により放置されたルアーと共に残った釣り糸が水鳥の足に絡まったりする事故が相次いでいる。こうした環境への悪影響を改善するため自然界で微生物によって分解される生分解性擬似餌が注目されている。
例えば、特開昭６２ー１９００３７号公報には多糖類と多価金属化合物を基材とする擬似餌用ゲル化組成物が開示されており、動物性真餌に近いものではあるが、水中叉は海水中での使用に耐える形態保持や安全性、特に魚類群誘引物質の中でも誘引効果を左右する色素の保持性に劣っている。
また、特開昭６３ー１２０３６６号公報にはコンニャクマンナンを主成分とするコンニャク芋精粉に蚕蛹粉末等の魚類群誘引物質、着色料等を混合添加し、アルカリ処理により得るゲル組成物に蒸し処理を施した後、各種成型及び／叉は各種包装形態品の釣餌及びその製造方法が開示されている。しかし、コンニャクマンナンの凝固前に着色を施し、アルカリ処理で凝固後蒸し処理によって着色料の安定化をはかっているが根本的には着色料の固定安定化はなされておらず、また凝固前の着色では各種動物性生餌に似せた自由な色の調整は困難であり釣餌としての性能が著しく低下してしまう欠点がある。
【０００３】
【発明が解決しようとする課題】
本発明は、生分解性擬似餌を生餌に酷似した着色を長時間保持させることを目的にした着色法において、着色料に食用色素として使用できる法定食用タール色素および／または天然色素を使用して、コンニャクマンナンを素材とした生分解性擬似餌の品質を損なうことなく着色、固定化することを特徴とした安全性の高い自然に優しい着色生分解性擬似餌を提供することにある。
【課題を解決するための手段】
本発明者は生餌に酷似した着色を長時間保持させることのできる着色法について種々検討を重ねた結果、弱アルカリ性に調整した食用色素の水溶液中にコンニャクマンナンを素材とした擬似餌を浸漬して色素を浸透着色させ、更に有機酸とリン酸水素二ナトリウムでｐH３．８〜４．５に調整した緩衝液、好ましくはｐH４．０〜４．３に調整した緩衝液に浸漬することにより本発明の目的を達成することができる着色法を見出した。
すなわち本発明は、コンニャクマンナンを素材とした擬似餌を凝固後に、弱アルカリ性に調整した食用色素水溶液中に浸漬し、浸透着色した後、有機酸緩衝液に室温で３〜７時間浸漬し色素を固定化する生分解性擬似餌の着色固定化方法である。また本発明は、コンニャクマンナンを素材とした擬似餌を凝固後に、弱アルカリ性に調整した食用色素水溶液中に浸漬し、浸透着色した後、ｐＨ３．８〜４．５の有機酸緩衝液に室温で３〜７時間浸漬し色素を固定化する方法で着色固定化された、生分解性擬似餌である。
【０００４】
【発明の実施の形態】
以下、本発明の生分解性擬似餌の着色固定化方法について詳述する。
本発明で使用するコンニャクマンナンは最も多く栽培されているコンヤク芋の赤茎種の他、青茎種、シナ種等のいずれでも良く、これらから通常食用コンヤクとして供されるコンニャク芋粉を使用することができる。
このコンヤク芋粉を素材として、これに魚類群誘引物質として蚕蛹粉末、魚油類、魚粉類、魚臭性物質等のような味覚、臭覚刺激物質、蛍光物質のような視覚刺激物質、さらには必要により着色料、防腐剤等を添加混合した後アルカリ処理し、各種動物生餌に似た形状、大きさの型枠で凝固成型して擬似餌をえる。
本発明に用いられる着色料は、食品添加物として用いられる法定食用タール色素および／または天然色素であり、法定食用タール色素として好適に使用されるものとしては、カラーインデックス番号がＣ．Ｉ．４５４３０（食用赤色３号）、Ｃ．Ｉ．４５４１０（食用赤色１０４号）及びＣ．Ｉ．４５４４０（食用赤色１０５号）などのキサンテン系のものを挙げることができる。また天然色素としてはクチナシ黄色素（クロセチン）、クチナシ青色素及びアナトー色素等を好適に使用することができる。更に望ましくは、これらの法定食用タール色素と天然色素とを適宜配合して使用することが好ましくその濃度、色相を自由に変化、調整することによって各種動物性生餌の色に合わせることができる。
コンニャクマンナンを素材とした生分解性擬似餌の着色はコンニャクマンナンを凝固する前にその他の魚類群誘引物質と共に添加着色することもできるが、望む各種動物性生餌の色に調整するには凝固後着色する方が好ましく、室温で上記色素の弱アルカリ性水溶液に浸漬することによって容易に実施できる。
本発明に用いられる有機酸としては、クエン酸、酒石酸、リンゴ酸及びフマル酸等が挙げられ、特にクエン酸が好ましい。
【０００５】
【実施例】
以下に実施例を挙げ、本発明をさらに詳しく説明する。
［実施例１］
弱アルカリ性に調整した０．０３％食用赤色３号［（株）アイゼン製］水溶液４３ｍｌと水７ｍｌの溶液中に、コンニャクマンナン素材の成型生分解性擬似餌８本（約２８ｇ）を室温で加えて１５時間浸漬した。着色された生分解性擬似餌は、水切り後室温の水５０ｍｌで速やかに洗浄して表面に付着している未着色色素を取り除き、次にｐＨ４に調整したクエン酸緩衝液（２％クエン酸水溶液１６０ｍｌと７％リン酸水素二ナトリウム４０ｍｌからなる水溶液）５０ｍｌの中に着色した生分解性擬似餌を室温で４時間浸漬して、色素を固定化後水洗して赤色に着色した。得られた着色生分解性擬似餌の各々８本を多量の水及び海水中に室温で１時間、３時間、５時間浸漬した後、着色生分解性擬似餌を取り出し充分すりつぶし、弱アルカリ性の水で残存色素を抽出し、分光光度計で比色して色素残存率を算出した。その結果、着色固定化生分解性擬似餌は品質の劣化もなく、水中または海水中での溶出試験は未固定の擬似餌に比較して表−１に示したように格段に優れていた。
【０００６】
【表１】
0003762014.tif 000002
【０００７】
［実施例２］
実施例１と同様にして食用赤色３号の代わりに１％ネオグリーンＫ−１５［（株）アイゼン製クチナシ青色素とクチナシ黄色素（クロセチン）との混合製剤］水溶液５０ｍｌを使用して着色した後、実施例１と同様にして色素を固定化し、ウオーターメロン色の着色生分解性擬似餌を得た。この色素残存率を実施例１と同様にして測定した結果を表−１にを示した。得られた着色生分解性擬似餌の性能は実施例１と同様であった。
【０００８】
［実施例３］
実施例１と同様にして食用赤色３号の代わりに０．０１％食用赤色３号［（株）アイゼン製］水溶液４２．５ｍｌと０．７５％クロシンブル−Ｇ［（株）アイゼン製クチナシ青色素製剤］水溶液７．５ｍｌとの混合液を使用して着色した後、実施例１と同様にして色素を固定化し、紫色の着色生分解性擬似餌を得た。この色素残存率を実施例１と同様にして測定した結果を表−１にを示した。その性能は実施例１と同様であった。
【０００９】
［実施例４］
実施例１と同様にして食用赤色３号の代わりに０．０１％食用赤色１０５号［（株）アイゼン製］水溶液７．５ｍｌと０．２５％クロシンブル−Ｇ［（株）アイゼン製クチナシ青色素製剤］水溶液５ｍｌ及び０．２５％クロシンＰＡＧコンク［（株）アイゼン製クチナシ黄色素製剤］水溶液３７．５ｍｌの混合液を使用して着色した後、実施例１と同様にして色素を固定化し、茶色の着色生分解性擬似餌を得た。この色素残存率を実施例１と同様にして測定した結果を表−１にを示した。その性能は実施例１と同様であった。
【００１０】
［実施例５］
実施例１と同様にして食用赤色３号の代わりに０．０１％食用赤色１０４号［（株）アイゼン製］水溶液８ｍｌと０．２５％クロシンＰＡＧコンク［（株）アイゼン製クチナシ黄色素製剤］水溶液３ｍｌ及び水３９ｍｌの混合液を使用して着色した後、実施例１と同様にして色素を固定化し、ライトルビー色の着色生分解性擬似餌を得た。この色素残存率を実施例１と同様にして測定した結果を表−１にを示した。
【００１１】
［比較例］
実施例１〜５の有機酸緩衝液による色素の固定化処理を省略した未固定の着色生分解性擬似餌の色素残存率を実施例１と同様にして試験した結果を表−１に示した。
その結果、着色固定化処理をおこなわなっかった場合はいずれも著しく色素は溶出した。
【００１２】
【発明の効果】
本発明方法によれば、コンニャクマンナンを素材とした生分解性擬似餌を食用色素で着色でき、動物性生餌に類似した着色色素をそのまま固定化する事が可能となる。また品質を損なうこともなくしかも着色固定化した色素は水中または海水中でも長期に安定保持できその機能を充分発揮することができる。